(57)【特許請求の範囲】
【請求項１】
建物の外部設備の床部材として用いる面格子板材であって、
横方向に渡される大格子用横部材および縦方向に渡される大格子用縦部材を直交させることによって形成される大格子と、
大格子が形成する各区画内において該区画よりも小さな区画を、横方向に渡される小格子用横部材および縦方向に渡される小格子用縦部材を直交させることによって形成する小格子とを備え、
大格子と小格子とは、床となる上の面が同一面にあって床を形成するとともに、大格子の下の部分は所定高さをもつように延設され、小格子の下の部分は前記所定高さに至る途中までとなるようにして一体に形成され、
面格子板材の床となる上の面側において大格子および小格子が形成する区画の周縁には、上方に向かって突出する滑り止め枠突条が、該面格子板材と一体に形成されていることを特徴とする面格子板材。
【請求項２】
建物の外部設備の床部材として用いる面格子板材であって、
横方向に渡される大格子用横部材および縦方向に渡される大格子用縦部材を直交させることによって形成される大格子と、
大格子が形成する各区画内において該大格子が形成する格子間の横または縦のいずれか一方向に渡される小格子用横部材を備えた小格子とを備え、
大格子と小格子とは、床となる上の面が同一面にあって床を形成するとともに、大格子の下の部分は所定高さをもつように延設され、小格子の下の部分は前記所定高さに至る途中までとなるようにして一体に形成され、
面格子板材の床となる上の面側において大格子および小格子が形成する区画の周縁には、上方に向かって突出する滑り止め枠突条が、該面格子板材と一体に形成されていることを特徴とする面格子板材。
【発明の詳細な説明】
【０００１】
【産業上の利用分野】
この発明は面格子板材、更に詳しくは、建物の外部設備の床部材に用いる面格子を有する板状部材に関するものである。
【０００２】
【従来の技術】
本発明の従来技術の説明に当たり、本出願人は、予め日本特許情報機構（ＪＡＰＩＯ）の先行技術調査（パトリス）の利用により、以下の検索式で昭和５５年以後の特許出願、実用新案登録出願を調査し、その結果、特許出願１０６件、実用新案登録出願４２９件を抽出した。
【０００３】
検索式  ：  Ｅ０６Ｂ  ９／０１
そして、本出願人は前記調査結果を踏まえ、先行技術について鋭意検討した結果、以下のような事実が判ってきた。すなわち、面格子を有する板状の部材を建物の外部設備の床部材、例えば縁側などの下に敷かれる簀の子状の板部材、いわゆるスペースデッキやアパートの２階の外通路の床などに用いることがあること、およびそのような床部材に面格子を有する板状部材を用いる場合には、その板状部材の格子の大きさはそこを歩く人に不安を与えない大きさであるように設計されていることなどである。
【０００４】
【発明が解決しようとする課題】
以上のような事実を更に検討したら、建物の外部設備の床部材に面格子を有する板状の部材を用いる場合には、その格子の大きさを小さくしているため、靴の裏に接する面積が大きいことが判ってきた。そして、靴の裏に接する格子が平滑であるため、靴の裏または面格子の表面に水分がついていると少々滑りやすいという欠点があった。
【０００５】
また、強度の大きな材質にて形成する場合、板状部材の格子の大きさを、そこを歩く人に不安を与えない大きさとすると、板状部材全体の強度が充分すぎ、重くなって運搬が困難になったり、材料費が大きくなったりしていた。
本発明が解決すべき課題は、建物の外部設備の床部材に面格子を有する板状の部材を用いる場合、靴の裏または面格子の表面に水分がついていても滑り難く、しかも軽い面格子板材を提供することにある。
【０００６】
ここで、請求項１記載の発明の目的は、建物の外部設備の床部材に面格子を有する板状の部材を用いる場合、靴の裏または面格子の表面に水分がついていても滑り難く、しかも軽いような面格子板材を提供することである。
また、請求項２記載の発明の目的は、特に、格子間距離の疎密に方向性がある面格子板材において、建物の外部設備の床部材に面格子を有する板状の部材を用いる場合、靴の裏または面格子の表面に水分がついていても滑り難く、しかも軽いような面格子板材を提供することにある。
【０００７】
なお、上記の課題を解決する技術は、前記した先行技術調査によっては発見できなかった。
【０００８】
【課題を解決するための手段】
本発明は、上記した目的を達成するためのものである。
請求項１記載の面格子板材は、建物(10)の外部設備の床部材として用いる面格子板材(20)であって、横方向に渡される大格子用横部材(22)および縦方向に渡される大格子用縦部材(23)を直交させることによって形成される大格子(21)と、大格子(21)が形成する各区画内において該区画よりも小さな区画を、横方向に渡される小格子用横部材(25)および縦方向に渡される小格子用縦部材(26)を直交させることによって形成する小格子(24)とを備え、大格子(21)と小格子(24)とは、床となる上の面が同一面にあって床を形成するとともに、大格子(21)の下の部分は所定高さをもつように延設され、小格子(24)の下の部分は前記所定高さに至る途中までとなるようにして一体に形成され、面格子板材(20)の床となる上の面側において大格子(21)および小格子(24)が形成する区画の周縁には、上方に向かって突出する滑り止め枠突条(27)が、該面格子板材(20)と一体に形成されていることを特徴とする。
【０００９】
ここで、大格子（２１）と小格子（２４）とを別々に形成したものを固定することによって面格子板材（２０）を形成してもよいが、大格子（２１）と小格子（２４）とが一体となるように、たとえば型材による成形によって形成してもよい。
また、面格子板材（２０）が用いられる場所に適した小格子（２４）を複数種用意しておき、それらの中から選択した小格子（２４）と大格子（２１）とによって面格子板材（２０）を形成してもよい。例えば、大格子（２１）の一区画内に縦横二区画ずつの小格子（２４）や、大格子（２１）の一区画内に縦横三区画ずつの小格子（２４）や、大格子（２１）の一区画内に縦二区画と横三区画の小格子（２４）などを用意しておき、それらの中から選択した小格子（２４）と大格子（２１）とによって面格子板材（２０）を形成することができる。
【００１０】
請求項２記載の面格子板材は、建物(10)の外部設備の床部材として用いる面格子板材であって、横方向に渡される大格子用横部材(22)および縦方向に渡される大格子用縦部材(23)を直交させることによって形成される大格子(21)と、大格子(21)が形成する各区画内において該大格子(21)が形成する格子間の横または縦のいずれか一方向に渡される小格子用横部材(25)を備えた小格子(24)とを備え、大格子(21)と小格子(24)とは、床となる上の面が同一面にあって床を形成するとともに、大格子(21)の下の部分は所定高さをもつように延設され、小格子(24)の下の部分は前記所定高さに至る途中までとなるようにして一体に形成され、面格子板材(20)の床となる上の面側において大格子(21)および小格子(24)が形成する区画の周縁には、上方に向かって突出する滑り止め枠突条(27)が、該面格子板材(20)と一体に形成されていることを特徴とする。
【００１１】
ここでも、大格子（２１）と小格子（２４）とを別々に形成したものを固定することによって面格子板材（２０）を形成してもよいが、大格子（２１）と小格子（２４）とが一体となるように、たとえば型材による成形によって形成してもよい。
同様に、面格子板材（２０）が用いられる場所に適した小格子（２４）を複数種用意しておき、それらの中から選択した小格子（２４）と大格子（２１）とによって面格子板材（２０）を形成してもよい。
【００１２】
【作用】
請求項１記載の面格子板材(20)は、以下のような作用をなす。
面格子板材(20)が建物(10)の外部設備の床部材として用いる場合には、小格子(24)が上、すなわち滑り止め枠突条(27)が上面側、つまり床となる上の面側となるように配置される。このような面格子板材(20)の上を歩く人にとっては、その人の靴の裏に滑り止め枠突条(27)が食い込むので、靴の裏または面格子板材(20)の表面に水分がついていても、滑り難い。
【００１３】
また、小格子(24)は面格子板材(20)の上面側（床となる上の面側）においてのみ存するので、全体が小格子の大きさで造られている面格子板材よりも軽く、持ち運びなどに便利であり、材料費も小さくて済む。
次に、請求項２記載の面格子板材(20)の作用について、請求項１記載の面格子板材(20)の作用とは異なる点を説明する。
【００１４】
すなわち、格子間距離の疎密の方向性に対応して、大格子（２１）が形成する格子間の横または縦のいずれか一方向に渡される小格子用横部材（２５）を備えて小格子（２４）を形成することができる。
【００１５】
【実施例】
以下、本発明を実施例及び図面に基づいて、更に詳しく説明する。ここで使用する図面は、図１乃至図５である。図１は、本発明の第一の実施例の主要部を示す斜視図である。図２は、本発明の第一の実施例を示す一部拡大断面図である。図３は、本発明の第一の実施例における裏側を示す斜視図である。図４は、本発明が実施されている様子を示す斜視図である。図５は、本発明の第二の実施例における裏側を示す斜視図である。
【００１６】
まず、図１ないし図３に基づいて、第一の実施例の構成について説明する。
この面格子板材は、建物１０の外部設備の床部材として用いるものであって、横方向に渡される大格子用横部材２２および縦方向に渡される大格子用縦部材２３を直交させることによって形成する大格子２１と、大格子２１の上面側（床となる面側）においてのみ存する状態で、大格子２１が形成する区画よりも小さな区画を、横方向に渡される小格子用横部材２５および縦方向に渡される小格子用縦部材２６を直交させることによって形成する小格子２４とから形成されている。
図３に示すのは、下側を正面に見た場合の斜視図であり、前記のような構成であることを示している。
【００１７】
図１および図２に示すように、面格子板材２０の上面側において大格子２１および小格子２４が形成する区画の周縁には、上方に向かって突出する滑り止め枠突条２７を面格子板材２０と一体に備えている。
この実施例においては、面格子板材２０は、１枚当たり９１７  ×  ９１０  ×  ３０ミリメートルの大きさをなし、ＦＲＰ（ガラス繊維強化プラスチック）にて一体成形されることによって形成されている。
【００１８】
大格子２１は以下のように形成されている。すなわち、大格子２１における２本の大格子用横部材２２の距離は芯芯で４１．３６ミリメートル、２本の大格子用縦部材２３の距離も芯芯で４１．３６ミリメートル、大格子用横部材２２および大格子用縦部材２３の厚さは上面側で７ミリメートル、下面側で５ミリメートルである。
【００１９】
一方、小格子２４における小格子用横部材２５および小格子用縦部材２６が固定されることによって形成される区画の大きさは１３．６８ミリメートル四方、小格子用横部材２５および小格子用縦部材２６の厚さは上面側で７ミリメートル、下面側で６．８ミリメートル、厚さは４ミリメートルである。
また、滑り止め枠突条２７は、大格子２１または小格子２４の上面から０．７ミリメートルの高さおよび１ミリメートルの幅にて突出している。
【００２０】
上記のように構成された面格子板材２０は、図４に示すスペースデッキ１１に用いられる。上記のような寸法および材質にて形成した面格子板材２０は、スペースデッキとして用いられるのに必要とされる強度を充分に満たしている。また、上面に表れる格子の大きさも不安なく歩くことができる大きさとして適当である。
【００２１】
次に、この実施例の面格子板材２０がスペースデッキ１１として用いる場合の作用及び効果について説明する。
この実施例の面格子板材２０は、小格子２４が上、すなわち滑り止め枠突条２７が上面側となるように配置される。スペースデッキ１１の上を歩く人にとっては、その人の靴の裏に滑り止め枠突条２７が食い込むので、靴の裏または面格子板材２０の表面に水分がついていても、滑り難い。
【００２２】
また、小格子２４は面格子板材２０の上面側においてのみ存するので、全体が小格子の大きさで造られている面格子板材よりも軽く、組立作業や持ち運びなどに便利である。更に、製造に必要とされるＦＲＰの絶対量が減り、材料費が小さくて済む。
なお、上記した第一の実施例の面格子板材２０を製造するに際し、型による成形を行うのでいわゆるバリが生じるのは避けられない。しかし、上面側に滑り止め枠突条２７が設けられている本実施例の場合は、設けられていない面格子板材を製造した場合よりもバリ取り作業が簡易に行える。
【００２３】
ところで、上記した第一の実施例の面格子板材２０は、図４に示すように、窓用面格子１２、軒天換気１３、床下換気１４などとしても使用することができる。そのような場所に使用する場合には、大格子２１側が室外側を向くように固定することが望ましい。換気の効果を妨げずに外部から室内は更に見難くなり、目隠しの効果が高くなってゆくので、プライバシーの保護を図りたい場合には便利である。小格子２４の格子間距離が更に小さいものを採用すれば、外部から室内は更に見難くなり、目隠しの効果が高くなってゆくことはいうまでもない。
【００２４】
建物１０の外表面に現れるいろいろな箇所すべてに、同じ面格子板材２０を採用したとすれば、建物１０の外観に統一した模様が現れることとなる。
なお、用いる場所に所望される形状をなすため、その形状や縦横の寸法など所望される形状への対応は、予め型をおこして製造してもよいし、一定形状のものをカットして形成してもよい。
【００２５】
続いて、図５に基づいて請求項２に対応する第二の実施例について説明する。図５に示す面格子板材２０は、第一の実施例と異なり、小格子２４が小格子用横部材２５のみによって形成されている。
この第二の実施例の面格子板材２０を用いれば、格子間距離の疎密の方向性を持たせることができる。
【００２６】
【発明の効果】
請求項１記載の発明によれば、建物の外部設備の床部材に面格子を有する板状の部材を用いる場合、靴の裏または面格子の表面に水分がついていても滑り難く、しかも軽いような面格子板材を提供することができた。
また、請求項２記載の発明によれば、特に、格子間距離の疎密に方向性がある面格子板材において、建物の外部設備の床部材に面格子を有する板状の部材を用いる場合、靴の裏または面格子の表面に水分がついていても滑り難く、しかも軽いような面格子板材を提供することができた。
【図面の簡単な説明】
【図１】本発明の第一の実施例の主要部を示す斜視図である。
【図２】本発明の第一の実施例を示す一部拡大断面図である。
【図３】本発明の第一の実施例における裏側を示す斜視図である。
【図４】本発明が実施されている様子を示す斜視図である。
【図５】本発明の第二の実施例における裏側を示す斜視図である。
【符号の説明】
１０    建物                            １１    スペースデッキ
１２    窓用面格子                      １３    軒天換気
１４    床下換気
２０    面格子板材                      ２１    大格子
２２    大格子用横部材                  ２３    大格子用縦部材
２４    小格子                          ２５    小格子用横部材
２６    小格子用縦部材                  ２７    滑り止め枠突条
【図１】
0003619564.tif 000002
【図２】
0003619564.tif 000003
【図３】
0003619564.tif 000004
【図４】
0003619564.tif 000005
【図５】
0003619564.tif 000006